(57)【要約】【課題】  デジタル放送において、現行方式との互換性にもできる限り確保しながら、既存の受信機に対し悪影響を及ぼさず、安全かつ柔軟に、新規サービスの追加拡充を繰り返すことが難しくなっている。【解決手段】  伝送帯域内で少なくとも１つの放送方式によりデジタル放送の番組もしくは番組の関連情報を送信する番組送信手段と、前記放送方式を示すプロトコル情報を設定するプロトコル情報設定手段と、前記プロトコル情報設定手段から入力される前記プロトコル情報を送信するプロトコル情報送信手段とを具備することを特徴とするデジタル放送送信装置を提供する。【選択図】  図１
2005295260.tif 000002
【特許請求の範囲】
【請求項１】
伝送帯域内で少なくとも１つの放送方式によりデジタル放送の番組もしくは番組の関連情報を送信する番組送信手段と、
前記放送方式を示すプロトコル情報を設定するプロトコル情報設定手段と、
前記プロトコル情報設定手段から入力される前記プロトコル情報を送信するプロトコル情報送信手段とを具備することを特徴とするデジタル放送送信装置。
【請求項２】
前記プロトコル情報設定手段は、伝送する放送方式体系を示すプロトコルの種別と前記放送方式体系を示すプロトコルに対応する管理番号を設定することを特徴とする請求項１記載のデジタル放送送信装置。
【請求項３】
前記プロトコル情報設定手段は、前記放送方式体系を構成する個々の情報要素の伝送プロトコルにおける種別と前記個々の情報要素の伝送プロトコルに対応する管理番号を設定することを特徴とする請求項１記載のデジタル放送送信装置。
【請求項４】
前記プロトコル情報送信手段は、前記プロトコル情報を番組配列情報として送信することを特徴とする請求項１乃至請求項３のいずれかに記載のデジタル放送送信装置。
【請求項５】
デジタル放送の番組もしくは番組の関連情報を受信する番組受信手段と、
伝送帯域内で伝送されるデジタル放送方式を示すプロトコル情報を受信するプロトコル情報受信手段と、
前記放送方式により伝送される個々の番組もしくは番組における関連情報の受信再生の可否を前記プロトコル情報に応じて判定制御する受信再生制御手段とを具備することを特徴とするデジタル放送受信装置。
【請求項６】
前記受信再生制御手段は、受信再生可能な放送方式体系を示すプロトコルの種別と前記放送方式体系を示すプロトコルに対応する管理番号を保持し、伝送される前記プロトコル情報に記載の前記放送方式体系を示すプロトコルの種別と前記放送方式体系を示すプロトコルに対応する管理番号を監視し更新を検知することを特徴とする請求項５記載のデジタル放送受信装置。
【請求項７】
前記受信再生制御手段は、受信再生可能な前記放送方式体系を構成する個々の情報要素の伝送プロトコルにおける種別と前記個々の情報要素の伝送プロトコルに対応する管理番号を保持し、伝送される前記プロトコル情報に記載の前記放送方式体系を構成する個々の情報要素の伝送プロトコルにおける種別と前記個々の情報要素の伝送プロトコルに対応する管理番号を監視し更新を検知することを特徴とする請求項５記載のデジタル放送受信装置。
【請求項８】
前記受信再生制御手段は、受信再生不可と判定した場合にはその旨を提示することを特徴とする請求項５乃至請求項７記載のいずれかにデジタル放送受信装置。
【請求項９】
前記受信再生制御手段は、受信再生不可と判定した場合には対応する受信再生ソフトウェアの更新処理を実行することを特徴とする請求項５乃至請求項７のいずれかに記載のデジタル放送受信装置。
【発明の詳細な説明】
【技術分野】
【０００１】
本発明は、デジタル放送送信装置及びデジタル放送受信装置に関する。
【背景技術】
【０００２】
デジタル放送の新規サービス／機能導入においては次の２点が求められる。
【０００３】
・既存の受信機に対し、悪影響を及ぼさない
・現行方式との互換性にもできる限り留意しながら伝送帯域を有効活用する
このため、これまでは放送方式の上位互換性の確保を前提に、番組の各種関連情報を記述する情報テーブルであるＰＳＩ（Ｐｒｏｇｒａｍ  Ｓｐｅｃｉｆｉｃ  Ｔａｂｌｅ）やＳＩ（Ｓｅｒｖｉｃｅ  Ｉｎｆｏｒｍａｔｉｏｎ）をはじめとした新規の送出運用規定や受信機仕様においてはより厳しい制約条件を課して対処してきている。
【０００４】
たとえば、国内のＢＳデジタル放送では２０００年１２月の放送開始後に、放送コンテンツの権利保護方式を早期に導入するため、従来の有料放送のスクランブル方式を無料放送にも適用し、２００４年４月から運用される。このため、ＢＳデジタル放送の運用規定（非特許文献１参照）では既存受信機においても無料放送の受信機能を損なわずに解釈処理可能なように、権利保護共用の事業体識別を新規導入し、これをＰＳＩのＰＭＴ（Ｐｒｏｇｒａｍ  Ｍａｐ  Ｔａｂｌｅ）に記載する限定受信方式記述子などの運用に適用拡張し、従来の運用との整合性の確保を図っている。
【０００５】
このような運用拡張は、既存受信機にとって未知の情報テーブルや情報テーブル記載の記述子、さらにはそれらのフィールド値を検知した際にはこれを適切に無視することを前提としている。ところが、一方で運用拡張が繰り返されるたびに送出運用や受信機処理の複雑化をもたらし、放送事故や新旧の受信機の誤動作といった深刻な事態をもたらす危険性を高める結果となってしまっている。また、今後もさまざまなサービスの追加／拡充が想定されるにもかかわらず、上位互換性を完全に確保しながらのこのような対処ももはや限界に来ているのが現状である。
【０００６】
ところで、米国のデジタル放送方式仕様では将来の方式変更に対処するため、プロトコルのバージョン管理テーブルを送出する規定ＡＴＳＣ  Ｓｔａｎｄａｒｄ  Ａ／６５Ｂ：Ｐｒｏｇｒａｍ  ａｎｄ  Ｓｙｓｔｅｍ  Ｉｎｆｏｒｍａｔｉｏｎ  Ｐｒｏｔｏｃｏｌ  ｆｏｒ  Ｔｅｒｒｅｓｔｒｉａｌ  Ｂｒｏａｄｃａｓｔ  ａｎｄ  Ｃａｂｌｅ，  Ｒｅｖ．  Ｂ（１８  Ｍａｒｃｈ  ２００３）がある。このテーブルはＭＧＴ（Ｍａｓｔｅｒ  Ｇｕｉｄｅ  Ｔａｂｌｅ）と、呼ばれており、番組情報を記述するＥＩＴ（Ｅｖｅｎｔ  Ｉｎｆｏｒｍａｔｉｏｎ  Ｔａｂｌｅ）など放送プロトコルを構成する全情報テーブルの伝送パケット識別子、バーション番号、サイズが記載されている。そして、受信機ではこのＭＧＴを取得し、他の全テーブルの更新状態を監視、管理することが可能になっている。
【０００７】
しかし、上記の規定では、プロトコルのバージョン管理は個々の情報テーブルのシンタクス変更に対応した記載に限定されており、システム全体に関わる抜本的なプロトコル変更は想定していない。このため、新たな放送システム導入など同一伝送帯域内に複数のシステムプロトコルの並行運用が必要となる場合は対応できない。
【非特許文献１】ＡＲＩＢ  ＴＲ−Ｂ１５  ２．９版（第三分冊）の５．４．３コンテンツ保護を伴う無料番組
【発明の開示】
【発明が解決しようとする課題】
【０００８】
上記の従来技術では、デジタル放送方式において、現行方式との互換性を確保しながら、既存の受信機に対し悪影響を及ぼさず、安全かつ柔軟に、新規サービスの追加拡充を重ねることが難しいという問題があった。
【０００９】
本発明は、プロトコルの部分修正からシステム全体に関わる抜本的改変にいたるさまざまな送出運用の追加変更を容易にし、従来方式についても一部互換性を有する複数の放送方式の同時運用も実現することができるデジタル放送送信装置及びデジタル放送受信装置を提供することを目的とする。
【課題を解決するための手段】
【００１０】
上記目的を達成するために、本発明は、伝送帯域内で少なくとも１つの放送方式によりデジタル放送の番組もしくは番組の関連情報を送信する番組送信手段と、
前記放送方式を示すプロトコル情報を設定するプロトコル情報設定手段と、
前記プロトコル情報設定手段から入力される前記プロトコル情報を送信するプロトコル情報送信手段とを具備することを特徴とするデジタル放送送信装置を提供する。
【００１１】
このとき、前記プロトコル情報設定手段は、伝送する放送方式体系を示すプロトコルの種別と前記放送方式体系を示すプロトコルに対応する管理番号を設定する。
【００１２】
また、前記プロトコル情報設定手段は、前記放送方式体系を構成する個々の情報要素の伝送プロトコルにおける種別と前記個々の情報要素の伝送プロトコルに対応する管理番号を設定する。
【００１３】
また、前記プロトコル情報送信手段は、前記プロトコル情報を番組配列情報として送信する。
【００１４】
また、本発明は、デジタル放送の番組もしくは番組の関連情報を受信する番組受信手段と、
伝送帯域内で伝送されるデジタル放送方式を示すプロトコル情報を受信するプロトコル情報受信手段と、
前記放送方式により伝送される個々の番組もしくは番組における関連情報の受信再生の可否を前記プロトコル情報に応じて判定制御する受信再生制御手段とを具備することを特徴とするデジタル放送受信装置を提供する。
【００１５】
このとき、前記受信再生制御手段は、受信再生可能な放送方式体系を示すプロトコルの種別と前記放送方式体系を示すプロトコルに対応する管理番号を保持し、伝送される前記プロトコル情報に記載の前記放送方式体系を示すプロトコルの種別と前記放送方式体系を示すプロトコルに対応する管理番号を監視し更新を検知する。
【００１６】
また、前記受信再生制御手段は、受信再生可能な前記放送方式体系を構成する個々の情報要素の伝送プロトコルにおける種別と前記個々の情報要素の伝送プロトコルに対応する管理番号を保持し、伝送される前記プロトコル情報に記載の前記放送方式体系を構成する個々の情報要素の伝送プロトコルにおける種別と前記個々の情報要素の伝送プロトコルに対応する管理番号を監視し更新を検知する。
【００１７】
また、前記受信再生制御手段は、受信再生不可と判定した場合にはその旨を提示する。
【００１８】
また、前記受信再生制御手段は、受信再生不可と判定した場合には対応する受信再生ソフトウェアの更新処理を実行する。
【発明の効果】
【００１９】
プロトコルの部分修正からシステム全体に関わる抜本的改変にいたるさまざまな送出運用の追加変更を容易にし、従来方式の上位互換性を確保できないが一部互換性を有する複数の放送方式の同時運用も安全に実現が可能になる。また、対応受信装置においても新規サービス導入に伴う方式や運用の追加変更に柔軟に対応することが可能になる。
【発明を実施するための最良の形態】
【００２０】
以下、本発明の好ましい実施の形態について図面を用いて説明する。なお、本発明は以下に挙げる実施形態に限定されるものではなく、種々組み合わせて用いることができる。
【００２１】
先ず、デジタル放送送信装置でプロトコル情報テーブルをＳＩとして送出し、デジタル放送受信装置ではこの情報を基に受信ソフトウェアの更新処理を実行する方法について以下に説明する。
【００２２】
先ず、図１にデジタル放送送信装置の基本構成の一例を示す。番組の映像、音声信号はそれぞれＭＰＥＧ映像符号化器１１、ＭＰＥＧ音声符号化器１２に入力する。映像信号の場合にはＭＰＥＧ映像符号化器１１で符号化して多重化器１３に出力する。音声信号の場合についても同様に、スクランブラ１７を経て多重化器１５に出力する。
【００２３】
さて、プロトコル情報テーブルは、プロトコル情報テーブル設定器１４で設定し、番組関連情報生成器１５へ出力する。番組関連情報生成器１５ではこの情報やその他の番組関連情報を、記述子、テーブルさらにはセクションと呼ばれる伝送フォーマットに変換して、多重化器１３へ出力する。
【００２４】
ここで、プロトコル情報テーブルの一例を図３に示す。同テーブルにはシステム全体のプロトコル種別を示すフィールド（ｓｙｓｔｅｍ＿ｐｒｏｔｏｃｏｌ＿ｔｙｐｅ）とバージョン番号を示すフィールド（ｓｙｓｔｅｍ＿ｐｒｏｔｏｃｏｌ＿ｖｅｒｓｉｏｎ）を定義し、複数のシステムのプロトコル記述が可能な構造を有している。システム全体のプロトコル種別のフィールドの運用に関してはたとえば、プロトコルの規定組織（ＡＲＩＢ、ＡＴＳＣ，ＤＶＢ等）や伝送メディアなどの適用範囲（地上／ＢＳ／ＣＳなどのメディアや通信）で実施する各サービスの方式プロトコルに応じて値を割り当て設定する。バージョン番号の運用に関しては、たとえば、既存の方式と上位互換性を確保した方式の一部変更にとどまる場合、ｓｙｓｔｅｍ＿ｐｒｏｔｏｃｏｌ＿ｔｙｐｅは従来の値から変更せずｓｙｓｔｅｍ＿ｐｒｏｔｏｃｏｌ＿ｖｅｒｓｉｏｎの値のみをインクリメントするなどして従来と異なる値を割り当てる設定をする。上位互換性を確保できない新規方式（既存方式の対応受信機能では受信再生処理できず新規方式の対応受信機能を要する）を導入する場合にはｓｙｓｔｅｍ＿ｐｒｏｔｏｃｏｌ＿ｔｙｐｅに新しい値を設定し、ｓｙｓｔｅｍ＿ｐｒｏｔｏｃｏｌ＿ｖｅｒｓｉｏｎは‘０’に設定する。
【００２５】
さらに、システムを構成する各情報テーブルに関しては伝送するストリームのパケット識別子を示すフィールド（ｉｎｆｏ＿ｔａｂｌｅ＿ＰＩＤ）を定義している。また、システム全体と同様に情報テーブルの種別を示すフィールド（ｉｎｆｏ＿ｔａｂｌｅ）とバージョン番号を示す２個のフィールド（ｉｎｆｏ＿ｔａｂｌｅ＿ｐｒｏｔｏｃｏｌ＿ｍａｊｏｒ＿ｖｅｒｓｉｏｎ、ｉｎｆｏ＿ｔａｂｌｅ＿ｐｒｏｔｏｃｏｌ＿ｍｉｎｏｒ＿ｖｅｒｓｉｏｎ）をそれぞれ定義しており、同様の設定を行う。
【００２６】
２個のバージョン番号の運用に関しては、当該プロトコル種別に対し、たとえば、新規のデータ構造を有する情報テーブルを導入する場合にはｉｎｆｏ＿ｔａｂｌｅ＿ｍａｊｏｒ＿ｖｅｒｓｉｏｎをインクリメント、ｉｎｆｏ＿ｔａｂｌｅ＿ｍｉｎｏｒ＿ｖｅｒｓｉｏｎは‘０’にリセットし、上位互換性を確保した方式の一部変更にとどまる場合はｉｎｆｏ＿ｔａｂｌｅ＿ｍａｊｏｒ＿ｖｅｒｓｉｏｎ  は従来の値から変更せずｉｎｆｏ＿ｔａｂｌｅ＿ｍｉｎｏｒ＿ｖｅｒｓｉｏｎの値のみをインクリメントするなどして値を割り当てる設定をする。
【００２７】
なお、この例では各メディアごとに運用サービスのプロトコルを記述可能な構造を有している。伝送メディアの放送／非放送の識別を示すｂｒｏａｄｃａｓｔｅｒ＿ｆｌａｇを定義し、放送の場合（’１’）にはネットワーク識別（ｎｅｔｗｏｒｋ＿ｉｄ）、非放送の場合にはＵＲＩを設定する。また、システム全体、各情報テーブル双方の記述領域に対し記述子を配置可能な構造にしてあり、必要に応じ適宜、情報を定義、伝送する。
【００２８】
そして、多重化器１３では、各入力ストリームにＰＩＤという識別子を割り当て、１８８バイトの固定長パケットに分割多重し、トランスポートストリーム（Ｔｒａｎｓｐｏｒｔ  Ｓｔｒｅａｍ、以下、ＴＳ）としてＦＥＣ（誤り訂正）符号化器１６に出力する。ＦＥＣ符号化器１６では、入力されるＴＳをビタビ符号等の畳み込み符号化やＲＳ（リードソロモン）に符号化して変調器１７へ出力する。そして、変調器１７ではたとえば、ＱＡＭやＱＰＳＫ等のデジタル変調処理を行い、Ｄ／Ａ変換後、ＲＦに変換されて放送信号として出力される。
【００２９】
なお、実際には有料放送や権利保護の無料放送においては映像信号、音声信号の各符号化出力を多重化する際にスクランブル処理を施すことがあるが、図１では省略してある。また、映像信号や音声信号とともにマルチメディア／モノメディア符号化や字幕・文字スーパ符号化などのデータ放送信号に関しても多重化されることがあるが同様に省略してある。
【００３０】
次に、図２にデジタル放送受信装置（以下、ＩＲＤ）の基本構成の一例を示す。
【００３１】
アンテナ端子から入力したＲＦのデジタル放送信号はＩＦに変換されてフロントエンド処理器２１に入力する。フロントエンド処理器２１ではＩＦ信号の中から物理チャンネルを選択し、Ａ／Ｄ変換後、たとえば、ＱＡＭやＱＰＳＫ等の送信側でデジタル変調された信号を復調し、やはり送信側でトレリス／ビタビ符号等の畳み込み符号化やＲＳ（リードソロモン）符号化された信号を誤り訂正復号処理などを施した上でトランスポート処理器２２に出力する。
【００３２】
トランスポート処理器２２ではＴＳ（Ｔｒａｎｓｐｏｒｔ  Ｓｔｒｅａｍ）の形式で多重されてきた、一般には複数のサービス（放送番組）の中から、リモコンなどから外部入力処理器２５を経て指定される所定のサービスを選択してその番組を構成する映像や音声の信号を多重分離し、デパケット処理を行ってそれぞれの圧縮信号に戻してＭＰＥＧ映像／音声復号器２３に出力する。また、映像、音声とともに多重されているＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）、ＸＭＬ記述言語型メタデータなどの番組関連情報も分離してＲＡＭ２７などに出力する。
【００３３】
映像／音声圧縮復号器２３では映像の場合、たとえばＭＰＥＧ−２の映像圧縮符号化された信号を復号して、Ｙ／Ｃｂ／ＣｒやＲ／Ｇ／Ｂ等のデジタルのコンポーネント信号として出力し、提示制御処理器２４に出力する。音声についても同様にＭＰＥＧやＡＣ３などの音声圧縮復号処理圧縮復号して提示制御処理器２４へ出力する。提示制御処理器２４では必要に応じて入力した映像信号に対しグラフィック出力と重畳処理したり、音声信号をミュートするなどしてディスプレイ（図示せず）へ出力する。
【００３４】
なお、ＩＲＤがアナログ出力する場合には図示していないが、提示制御処理器２４の映像／音声出力は、たとえばＤ／Ａ変換後ＮＴＳＣエンコーダを経てＮＴＳＣアナログのコンポジット信号に変換して出力する。
【００３５】
そして、これらの信号処理を適切に行うため、ＣＰＵ２６が用意され、周辺機器の支援を行っている。たとえば、ＣＰＵ２６では、外部入力処理器２５を経て指定される所定のサービスに従い、トランスポート処理器２２を経てＤＲＡＭ２７上に再生展開されるＰＳＩデータを解析し、指定されたサービス（番組）を構成する映像、音声などの各伝送識別子をトランスポート処理器２２にセットする。さらに、映像／音声復号器２３や提示制御処理器２４などの周辺回路の動作を制御する。特に提示制御処理器２４には、必要に応じ、ＤＲＡＭ２７上に再生展開されるＳＩ等の番組関連情報を加工編集し、ＥＰＧ（電子番組ガイド）を作成表示を実行するよう指示する。なお、ユーザの設定情報など電源ＯＦＦ後も記憶が必要な情報についてはＮＶＲＡＭ２８に保持しておく。また、一連の処理プログラムなどはＲＯＭ２９に格納しておき、電源ＯＮ時にロードして起動させる。
【００３６】
なお、モデム／ＬＡＮ２１１は、有料放送での視聴履歴などを視聴履歴収集センター（図示せず）へ送信したり、所定の通信サイトからコンテンツや番組関連情報などを受信するなど必要に応じて双方向通信する。ＬＡＮの場合には外部のｘＤＳＬモデムや回線終端装置等（図示せず）を介して回線に接続される。
【００３７】
また、番組を蓄積処理する機能を有する場合には視聴者からリモコンなどから外部入力受信処理器２５を経て直接あるいは録画予約にしたがい番組の記録開始が指定されると、この通知を受けたＣＰＵ２６は放送信号のリアルタイム再生の場合と同様に指定された番組関連情報を解析し、トランスポート処理器２２に各伝送識別子を設定する。この結果、トランスポート処理器２２では必要な信号を多重分離してＨＤＤ２１０へ出力する。なお、ＨＤＤ２１０は蓄積メディアの一例であって他の蓄積メディアでもよく、さらにＩＲＤの外部に存在して接続されていてもよい。そして、この蓄積再生処理の場合には、ＨＤＤ２１０に蓄積される番組を視聴者が直接もしくは再生予約にしたがって選択し、蓄積される番組の信号フォーマットにしたがいトランスポート処理器２２や映像／音声圧縮復号器２３へ出力し、リアルタイム再生の場合と同様に再生する。
【００３８】
さて、プロトコル情報テーブルの取得処理に基づく受信可否判定およびソフトウェアの更新処理の一例を図４に示す。まず、（Ｓ１）で現在、受信装置は対応しているプロトコル種別とバージョン番号、処理したプロトコル情報テーブルの最新バージョン番号を保持しておく。（Ｓ２）でプロトコル情報テーブル（ＰＩＴ）を取得し、テーブルのバージョン番号を確認する。そして（Ｓ３）でこの更新を検知すると、記載されているシステム全体のプロトコル種別を順次確認していく。（Ｓ４）で受信装置で未対応のシステムプロトコル種別を検知した場合には（Ｓ５）で受信不可である旨を画面等で提示し、続いて（Ｓ６）で受信ソフトウェアの更新を行うか否かを確認する提示を行う。視聴者からリモコン等を通じ更新の指示を受け取った場合（Ｓ７）には（Ｓ８）で受信ソフトウェアの更新処理を実行する。
【００３９】
また、（Ｓ４）で既対応のシステムプロトコル種別を検知した場合には（Ｓ９）でシステムプロトコルのバージョン番号が現在対応中のものであるかどうかを判定する。そして既に対応中のものであると判定した場合には（Ｓ１１）でＰＩＴに記載されている全システムプロトコル種別の確認を終了したかどうかを確認し、終了していれば（Ｓ１）に戻って、プロトコル種別とバージョン番号、処理したプロトコル情報テーブルのバージョン番号を更新保持し、終了していなければ（Ｓ４）に戻り処理を繰り返す。（Ｓ９）で未対応であると判定した場合には（Ｓ１０）でさらに当該プロトコルを構成する各情報テーブルに対し更新検知処理を実行する。
【００４０】
（Ｓ２１）で受信装置で未対応の情報テーブルプロトコル種別を検知した場合には（Ｓ２２）で受信ソフトウェアの更新を行うか否かを確認する提示を行う。視聴者からリモコン等を通じ更新の指示を受け取った場合（Ｓ２３）には（Ｓ２４）で受信ソフトウェアの更新処理を実行する。
【００４１】
また、（Ｓ２１）で既対応の情報テーブルプロトコル種別を検知した場合には（Ｓ２５）で当該情報テーブルプロトコルのメジャーバージョン番号が現在対応中のものであるかどうかを判定する。そして未対応であると判定した場合には（Ｓ２２）に遷移し、同様に受信ソフトウェアの更新処理の確認実行処理を行う。また、既に対応中のものであると判定した場合にはさらに（Ｓ２６）で、マイナー番号を確認し変更がなければ、ＰＩＴに記載されている全情報テーブルのプロトコル種別の確認を終了したかどうかを確認し、終了していれば情報テーブルの更新検知処理を終了し（Ｓ１１）に戻る。終了していなければ（Ｓ２１）に戻り処理を繰り返す。（Ｓ２６）でマイナー番号で更新を検知した場合には（Ｓ２２）以下の受信ソフトウェアの更新処理の確認実行処理を行う
以上のように複数のシステムプロトコルも記載可能なプロトコル情報を伝送することで、従来技術方式を採用したサービスと新技術方式を採用したサービスの並行運用も容易かつ安全に導入可能になる。また、受信装置でもこの情報に基づいた受信ソフトウェアの更新処理が可能になり、送出運用の追加変更に柔軟に対応することが可能になる。
【００４２】
なお、この実施例では送信されるプロトコルが未対応の場合、視聴者に都度、受信可否を提示し、更新可否を確認する処理を説明したが、受信装置が自動更新機能を有していてこの処理を更新前に提示確認することなく実行することも可能である。また、この実施例では放送経由で番組やプロトコル情報テーブルを含む番組関連情報が伝送される場合について説明したが、通信経由でこれらを伝送する場合も同様である。
【図面の簡単な説明】
【００４３】
【図１】デジタル放送通信送信装置の構成
【図２】デジタル放送通信受信装置の構成
【図３】プロトコル情報テーブルの一例
【図４】受信可否判定およびソフトウェアの更新処理の一例
【符号の説明】
【００４４】
１１  映像符号化器
１２  音声符号化器
１３  多重化器
１４  プロトコル情報設定器
１５  番組関連情報生成器
１６  ＦＥＣ符号化器
１７  変調器
２１  フロントエンド処理器
２２  トランスポート処理器
２３  映像／音声復号器
２４  提示制御処理器
２５  外部入力受信処理器
２６  ＣＰＵ
２７  ＲＡＭ
２８  ＮＶＲＡＭ
２９  ＲＯＭ
２１０  ＨＤＤ
２１１  モデム
【図１】
2005295260.tif 000003
【図２】
2005295260.tif 000004
【図３】
2005295260.tif 000005
【図４】
2005295260.tif 000006